(57)【要約】【課題】ラチェット機構によるロック機能と、回動抑制機構による回動抑制とを備えることにより、ＬＣＤ表示画面の傾倒に係わる操作性および安全性を向上できる角度調整装置を提供する。【解決手段】角度調整装置６００は、回動ブラケット７００と固定ブラケット８００との間に、プリンタ側への傾倒位置を任意に調整するラチェット機構６１０と、オペレータ側への傾倒位置を任意に抑制する回動抑制機構６２０とを備えて構成され、プリンタ側に対するＬＣＤ表示画面の角度調整は、ラチェット機構６１０によるラチェットギヤ６３０とロック爪６４０との噛合位置でおこない、オペレータ側に対するＬＣＤ表示画面２００の傾倒動作は回動抑制機構６２０によりおこなう。【選択図】      図２
2005226773.tif 000002
【特許請求の範囲】
【請求項１】
第一の回動方向への回動を制御するラチェット機構と、前記第一の回動方向と反対方向である第二の回動方向への回動を抑制する回動抑制機構と、
回動ブラケットと、
前記回動ブラケットの回動軸と連結される固定ブラケットとを備え、
前記回動抑制機構は、
前記回動ブラケットの回動を抑制する第一の回動抑制部材と、
前記固定ブラケットに取り付けられる第二の回動抑制部材と
を備え、
前記第一の回動抑制部材と第二の回動抑制部材とは、互いに当接するように組み付けられることを特徴とする角度調整装置。
【請求項２】
前記第一の回動抑制部材と前記第二の回動抑制部材との当接による摩擦トルクに基づいて、前記固定ブラケットに対する前記回動ブラケットの回動が抑制されることを特徴とする請求項１に記載の角度調整装置。
【請求項３】
前記第一の回動抑制部材と第二の回動抑制部材との互いの当接面には、複数の凸状部が形成されていることを特徴とする請求項１または２に記載の角度調整装置。
【請求項４】
第一の回動方向への回動を制御するラチェット機構と、前記第一の回動方向と反対方向である第二の回動方向への回動を抑制する回動抑制機構と、
回動ブラケットと、
前記回動ブラケットの回動軸と連結される固定ブラケットとを備え、
前記回動抑制機構は、
前記回動ブラケットの回動を抑制する回動抑制部材を備え、
前記回動抑制部材の表面部には、凸状部が形成され、
前記固定ブラケットの表面部には、凸状部が形成され、
前記回動抑制部材の表面部と、前記固定ブラケットの表面部とが当接するように組み付けられることを特徴とする角度調整装置。
【請求項５】
前記第一の回動方向への回動を許容するラチェット機構と、前記第二の回動方向への回動を抑制する回動抑制機構とは、前記固定ブラケットを介して、互いに隔離された位置に配設されていること特徴とする請求項１から４のいずれか一つに記載の角度調整装置。
【発明の詳細な説明】
【技術分野】
【０００１】
本発明は、ＰＯＳ端末装置などの情報表示機器に備えられたＬＣＤ表示画面に対する角度位置の調整装置に関し、特に、ラチェット機構による角度位置のロック機能と、回動抑制機構による回動抑制機能とを備えることにより、ＬＣＤ表示画面の傾倒動作に係わる操作性および安全性を向上できる角度調整装置に関する。
【背景技術】
【０００２】
従来から、ＬＣＤ表示画面を備えた情報表示機器として、百貨店やレストランなどで使用されるＰＯＳ端末装置が知られている。以下、図８−１、図８−２を参照して、従来のＰＯＳ端末装置１００の概要について説明する。図８−１は、ＰＯＳ端末装置１００の斜視図を、図８−２は、側面図をそれぞれ示している。図８−１、図８−２に示すように、ＰＯＳ端末装置１００は、オペレータによるキータッチ操作（会計操作など）がおこなわれるＬＣＤ表示画面２００と、装置本体１００ａと、レシートなどの印字用紙をプリントするプリンタ３００と、制御部４００とにより構成されている。５００は、プリンタ３００によりプリントされたレシートを発行するための排紙口である。
【０００３】
また、ＬＣＤ表示画面２００と装置本体１００ａとを連結するヒンジ部５５０（図８−２）には、ＬＣＤ表示画面２００に対する角度調整機能を備えたラチェット機構（図示せず）が設けられている。このラチェット機構により、オペレータは、ＰＯＳ端末装置１００を操作する際に、ＬＣＤ表示画面２００を最適な傾倒位置に角度調整することができる。
【０００４】
また、この種の角度調整装置として、例えば、特許文献１には、座椅子、ソファーベットなどの背もたれ部と座部との連結部に使用される角度調整装置が開示されている。この特許文献１に記載された角度調整装置においても、ラチェット機構を利用することにより、背もたれ部などを所望の角度位置に段階的な角度調整をおこなうようにしている。
【０００５】
また、この種のＬＣＤ表示画面の角度調整装置としては、摩擦トルクを利用したトルクヒンジ機構が知られている。このトルクヒンジ機構は、ノートブック型のパソコンなどを構成するＬＣＤ表示画面と本体部（キーボード）とを連結するヒンジ部に設けられている。そして、このトルクヒンジ機構による摩擦トルクにより、ＬＣＤ表示画面を任意の傾倒位置に固定することができる。
【０００６】
【特許文献１】特開２０００−３００３７０号公報
【発明の開示】
【発明が解決しようとする課題】
【０００７】
しかしながら、上述した従来技術によるＬＣＤ表示画面の角度調整の場合、以下のような問題がある。すなわち、ヒンジ部にラチェット機構を備えた場合、ラチェットギヤとロック爪との噛合（ロック）により、ＬＣＤ表示画面２００を任意の角度位置（プリンタ側）に固定することができるが、その反対方向（オペレータ側）はラチェット機構によるロックが機能しないため、不用意にＬＣＤ表示画面２００がオペレータ側に倒れてしまうという問題がある。このため、ラチェット機構をＰＯＳ端末装置のヒンジ部に利用した場合には、安全性の点で問題がある。
【０００８】
また、このＰＯＳ端末装置のヒンジ部にトルクヒンジ機構を用いた場合には、このトルクヒンジ機構の摩擦トルク（摩擦抵抗）を利用して、ＬＣＤ表示部を任意の角度位置に傾倒させ支持することができる。
【０００９】
ここで、ＬＣＤ表示画面の角度調整時には、摩擦トルクの強さ設定によってラチェット機構と同様に、比較的軽い力で傾倒の操作をおこなえることが望ましいが、その反面、オペレータによるＬＣＤ表示画面の操作時には、ある程度のキータッチによっても、設定したＬＣＤ表示画面の角度位置を保持する保持力が必要なため、このような、それぞれ相反する摩擦トルクを設定することは困難を極めるという問題がある。
【００１０】
そこで、この発明は、上述した従来技術による問題点を解消するためになされたものであり、ラチェット機構によるロック機能と回動抑制機構を備えることにより、ＬＣＤ表示画面を任意の角度位置に調整できるとともに、操作性および安全性の向上を図ることのできる角度調整装置を提供することを目的とする。
【課題を解決するための手段】
【００１１】
上述した課題を解決し、目的を達成するために、請求項１に係る発明は、第一の回動方向への回動を制御するラチェット機構と、前記第一の回動方向と反対方向である第二の回動方向への回動を抑制する回動抑制機構と、回動ブラケットと、前記回動ブラケットの回動軸と連結される固定ブラケットとを備え、前記回動抑制機構は、前記回動ブラケットの回動を抑制する第一の回動抑制部材と、前記固定ブラケットに取り付けられる第二の回動抑制部材とを備え、前記第一の回動抑制部材と第二の回動抑制部材とは、互いに当接するように組み付けられることを特徴とする。
【００１２】
請求項１に記載の発明によれば、角度調整装置は、表示画面の角度位置をラチェットによるロック位置で調整自在なラチェット機構と、表示画面の回動を抑制する回動抑制機構とを備え、表示画面のロック方向である第一の回動方向に対する表示画面の角度調整は、ラチェット機構によるラチェットギヤとロック爪との噛合位置でおこない、表示画面の回動抑制方向である第二の回動方向に対するＬＣＤ表示部の角度位置の調整（回動操作）は、回動抑制機構による回動抑制作用によりおこなう。
【００１３】
また、請求項２に記載の発明は、請求項１に記載の発明において、前記第一の回動抑制部材と前記第二の回動抑制部材との当接による摩擦トルクに基づいて、前記固定ブラケットに対する前記回動ブラケットの回動が抑制されることを特徴とする。
【００１４】
この請求項２に記載の発明によれば、固定ブラケットに対する回動ブラケットの回動は、第一の回動抑制部材と第二の回動抑制部材との当接による摩擦トルクに基づいて、この摩擦抵抗により、ＬＣＤ表示画面の回動をおこなう。
【００１５】
また、請求項３に記載の発明は、請求項１または２に記載の発明において、前記第一の回動抑制部材と第二の回動抑制部材との互いの当接面には、複数の凸状部が形成されていることを特徴とする。
【００１６】
この請求項３に記載の発明によれば、第一の回動抑制部材と第二の回動抑制部材との互いの当接面には、複数の凸状部が形成され、これら凸状部同士の当接による摩擦トルクに基づいて、ＬＣＤ表示画面の回動抑制がおこなわれる。
【００１７】
また、請求項４に記載の発明は、第一の回動方向への回動を制御するラチェット機構と、前記第一の回動方向と反対方向である第二の回動方向への回動を抑制する回動抑制機構と、回動ブラケットと、前記回動ブラケットの回動軸と連結される固定ブラケットとを備え、前記回動抑制機構は、前記回動ブラケットの回動を抑制する回動抑制部材を備え、前記回動抑制部材の表面部には、凸状部が形成され、前記固定ブラケットの表面部には、凸状部が形成され、前記回動抑制部材の表面部と、前記固定ブラケットの表面部とが当接するように組み付けられることを特徴とする。
【００１８】
この請求項４に記載の発明によれば、角度調整装置は、表示画面の角度位置をラチェットによるロック位置で調整自在なラチェット機構と、表示画面の回動を抑制する回動抑制機構とを備え、回動抑制機構は、表示画面が取り付けられる回動ブラケットと、回動ブラケットの回動軸と連結される固定ブラケットと、回動ブラケットの回動を抑制する回動抑制部材とを備え、回動抑制部材の表面部には、凸状部が形成され、固定ブラケットの表面部には、凸状部が形成され、回動抑制部材は、固定ブラケットに対して当接するように組み付けられている。
【００１９】
また、請求項５に記載の発明は、請求項１から４のいずれか一つの発明において、前記第一の回動方向への回動を許容するラチェット機構と、前記第二の回動方向への回動を抑制する回動抑制機構とは、前記固定ブラケットを介して、互いに隔離された位置に配設されていること特徴とする。
【００２０】
この請求項５に記載の発明によれば、第一の回動方向への回動を許容するラチェット機構と、第二の回動方向への回動を抑制する回動抑制機構とは、固定ブラケットを介して、互いに隔離された位置に配設されている。
【発明の効果】
【００２１】
請求項１に記載の発明によれば、角度調整装置は、第一の回動方向への回動を許容するラチェット機構と、当該ラチェット機構による第一の回動方向と反対方向（逆方向）である第二の回動方向への回動を抑制する回動抑制機構とを備え、第一の回動方向に対するＬＣＤ表示画面の角度調整は、ラチェット機構によるラチェットとロック爪との噛合位置でおこない、第二の回動方向に対するＬＣＤ表示部の角度位置の調整は、回動抑制機構による回動抑制機能によりおこなうので、ＬＣＤ表示画面の角度位置調整は、ラチェット機構により任意の位置に段階的に調整できるうえ、オペレータによるＬＣＤ表示部に対する押圧（キータッチ）は、ラチェット機構によるラチェットとロック爪との噛合（ロック）により保持され、オペレータ側にＬＣＤ表示画面を傾倒させる回動操作は、回動抑制機構によっておこなわれため、このＬＣＤ表示画面が不用意にオペレータ側に倒れることを防止できるという効果を奏する。
【００２２】
また、この請求項２に記載の発明によれば、固定ブラケットに対する回動ブラケットの回動は、第一の回動抑制部材と第二の回動抑制部材との当接による摩擦トルクに基づいて、所定位置での角度調整および回動の抑制をおこなうことができるので、操作性の向上およびオペレータ側にＬＣＤ表示画面がフリー状態で傾倒する不具合を防止できるという効果を奏する。
【００２３】
また、この請求項３に記載の発明によれば、第一の回動抑制部材と第二の回動抑制部材との互いの当接面には、複数の凸状部が形成されているので、第一の回動抑制部材と第二の回動抑制部材の互いの当接面に形成された複数の凸状部同士の摩擦トルクにより、オペレータ側にＬＣＤ表示画面がフリー状態で急に回動するなどの不具合を防止できるという効果を奏する。
【００２４】
また、この請求項４に記載の発明によれば、角度調整装置は、第一の回動方向への回動を許容するラチェット機構と、当該ラチェット機構の作動による第一の回動方向と反対方向である第二の回動方向への回動を抑制する回動抑制機構とを備え、回動抑制機構は、表示画面が取り付けられる回動ブラケットと、回動ブラケットの回動軸と連結される固定ブラケットと、回動ブラケットの回動を抑制する回動抑制部材とを備え、回動抑制部材の表面部には、凸状部が形成され、固定ブラケットの表面部には、凸状部が形成され、回動抑制部材は、固定ブラケットに対して当接するように組み付けられるので、回動抑制部材の表面部と固定ブラケットの表面部に形成された凸状部同士の当接による回動抑制作用によりオペレータ側にＬＣＤ表示画面がフリー状態で傾倒する不具合を防止できるという効果を奏する。
【００２５】
また、この請求項５に記載の発明によれば、第一の回動方向への回動を許容するラチェット機構と、第二の回動方向への回動を抑制する回動抑制機構とは、固定ブラケットを介して、互いに隔離された位置に配設されるので、回動抑制機構によるＬＣＤ表示画面（回動ブラケット）に対する回動抑制機能とラチェット機構によるＬＣＤ表示画面の回動とを、互いに干渉することなく別々に作動させることができるため、回動抑制機構による回動の抑制が機能しても、ラチェット機構の作動に対する影響を及ぼすことなく、安定したＬＣＤ表示画面の回動を維持できるという効果を奏する。
【発明を実施するための最良の形態】
【００２６】
以下に添付図面を参照して、この発明に係る角度調整装置の好適な実施例を詳細に説明する。図１は、本実施例１に係る角度調整装置の概略を示す要部側面図である。また、図２は、角度調整装置の構成を示す分解斜視図を、図３は、角度調整装置の要部を示す全体断面図である。さらに、図４−１、図４−２は、固定側抑制板および回動側抑制板をそれぞれ示す平面図である。
【００２７】
ここで、以下に示す各実施例１、２では、情報表示機器の一例としてＰＯＳ端末装置を適用するものとして説明する。また、本発明の角度調整装置は、ＰＯＳ端末装置のヒンジ部に備えるものとして説明する。なお、以下では、本実施例１に係る角度調整装置の特徴および全体構成を説明した後に、この角度調整装置の機能および作用を説明する。なお、以下に示す各実施例１、２によりこの発明の構成および作用が限定されるものではない。
【実施例１】
【００２８】
図１に示すように、ＰＯＳ端末装置１１０は、オペレータによるキータッチ操作（会計操作）がおこなわれるＬＣＤ表示画面２００と、装置本体１１０ａと、レシートなどを発行するプリンタ３００（図８−１）と、制御部４００（図８−２）とにより構成されている。また、ＬＣＤ表示画面２００の両端部は、一対の回動ブラケット７００に対して、取り付けネジにより取り付けられ、この回動ブラケット７００の基端部に連結された固定ブラケット８００は、装置本体１１０ａの側面部４１０に対して取り付けネジにより固設されている。そして、回動ブラケット７００と固定ブラケット８００との連結部（ヒンジ部）に、本発明に係る角度調整装置６００を備えている。
【００２９】
図１、２に示すように、角度調整装置６００は、回動ブラケット７００と固定ブラケット８００との間に、第一の回動方向（プリンタ側）への傾倒位置（角度位置）を任意に調整するラチェット機構６１０と、第二の回動方向（オペレータ側）への傾倒位置（角度位置）を任意に抑制する回動抑制機構６２０（図２）とを備えて構成されている。また、ラチェット機構６１０は、回動ブラケット７００と固定ブラケット８００との間に設けられ、回動抑制機構６２０は、ラチェット機構６１０と離隔した固定ブラケット８００の外側に設けられている。
【００３０】
すなわち、本実施例１に係る角度調整装置６００の特徴は、第一の回動方向（プリンタ側）に対するＬＣＤ表示画面の角度調整は、ラチェット機構６１０によるラチェットギヤ６３０とロック爪６４０との噛合位置（図１では、３箇所）でおこない、第二の回動方向（オペレータ側）に対するＬＣＤ表示画面２００の角度位置の調整（回動動作）は、回動抑制機構６２０による回動抑制機能によりおこなうことにある。ここで、実際には、回動抑制機構６２０は角度調整をおこなう機構ではなく、オペレータ側にＬＣＤ表示画面２００が急に傾倒することを抑制するために備えている。
【００３１】
図２、３に示すように、ラチェット機構６１０は、ラチェットギヤ６３０と、ロック爪作動カム６３８と、ロック爪６４０と、コイルバネ６５０とにより構成されている。ラチェットギヤ６３０には複数（図では、３個）のラチェット歯６３１が形成され、その中心部に形成された貫通孔６３２には、段部６３４が形成されたＤカット状の回動軸部６３３が嵌合されている。ここで、本例では、ラチェットギヤ６３０と回動軸部６３３は、別体としているが、これらラチェットギヤ６３０と回動軸部６３３とは一体に構成するようにしてもよい。
【００３２】
コイルバネ６５０は、固定ブラケット８００に固設されたリベット８１０に嵌装されており、このコイルバネ６５０の付勢力によりロック爪６４０がラチェットギヤ６３０のラチェット歯６３１と噛合している。そして、このラチェットギヤ６３０とロック爪６４０との噛合により、所定の角度でＬＣＤ表示画面２００の角度位置を保持することができる。従って、ＬＣＤ表示画面２００の傾倒角度は、ラチェットギヤ６３０とロック爪６４０との噛合位置（図では、３箇所）により調整することができる。
【００３３】
また、回動軸部６３３は、固定ブラケット８００に形成された円通孔８１５を通じて、後述する回動抑制機構６２０を構成する固定側抑制板７１０の円通孔７２１、回動側抑制板７５０の通孔７８０を介して外方に貫通し、２個のスプリングワッシャ（皿ばね）９００と座金９１０を介して、その先端部がカシメ付け固定されている。従って、固定側抑制板７１０と回動側抑制板７５０とは、スプリングワッシャ９００により互いに当接された状態で組み付けられている。また、回動軸部６３３に形成された段部６３４には、固定側抑制板７１０の円通孔７２１とが嵌合しているため、この段部６３４に対する固定側抑制板７１０の嵌合により安定した状態で、ＬＣＤ表示画面２００の回動をおこなうことができる。
【００３４】
次いで、本発明の特徴である回動抑制機構６２０の詳細について説明する。すなわち、回動抑制機構６２０は、それぞれ円板型に形成された固定側抑制板７１０と回動側抑制板７５０とで構成され、これら固定側抑制板７１０と回動側抑制板７５０とは、互いの片面同士が当接するように組み付けられている。
【００３５】
図４−１は、固定側抑制板７１０の平面図を、図４−２は、回動側抑制板７５０の平面図をそれぞれ示している。すなわち、図４−１に示すように、固定側抑制板７１０の中央部には、回動軸部６３３の段部６３４と嵌合自在な円通孔７２１と、固定ブラケット８００の基端部に固設された係合ピン８１６に係合自在な複数（図では、４箇所）の小通孔７２２が形成されている。また、この固定側抑制板７１０の係合ピン８１６と摺動しない片面には、複数（図では、４箇所）の凸部７２０となるよう形成されている。これら凸部７２０の形成位置は、ほぼ９０度の角度となるように選定されている。７３０は、凹部となっており、この凹部７３０の位置に小通孔７２２が形成されている。なお、本例では、凸部７２０の形成位置は、ほぼ９０度となるように選定しているが、凸部７２０の個数および形成位置は特に限定することなく、適宜、凸部７２０の個数および形成位置を特定することができる。
【００３６】
一方、図４−２に示すように、回動側抑制板７５０の中央部には、回動軸部６３３の先端部と嵌合するためのＤカット形状の通孔７８０が形成されている。また、この回動側抑制板７５０の片面にも、複数（図では、４箇所）の凸部７９０が形成されている。以上のように構成される固定側抑制板７１０と回動側抑制板７５０とは、互いの凸部７２０、７９０同時がそれぞれ当接された状態で組み付けられている。
【００３７】
次に、図５−１、図５−２を参照して、角度調整装置６００のラチェット機構６１０による動作を説明する。すなわち、前述したように、第一の回動方向（プリンタ側）に対するＬＣＤ表示画面の角度調整は、ラチェット機構６１０によるラチェットギヤ６３０とロック爪６４０との噛合位置（３箇所）でおこなわれ、図５−１は、初期状態でのＬＣＤ表示画面２００の角度位置であり、この場合、２番目のラチェット歯６３１とロック爪６４０との噛合により、ＬＣＤ表示画面２００の角度調整をおこなうことができる。次に、図５−２は、図５−１の状態からＬＣＤ表示画面２００をプリンタ側に少し傾倒させた状態を示しており、この場合、２番目のラチェット歯６３１とロック爪６４０との噛合により、ＬＣＤ表示画面２００の角度調整がおこなうことができる。
【００３８】
次いで、図６−１、図６−２、図６−３を参照して、角度調整装置６００の回動抑制機構６２０による動作を説明する。図６−１は、ＬＣＤ表示画面２００を倒立させた状態を示しており、図６−２は、ＬＣＤ表示画面２００を４５度傾倒させた状態、図６−３は、ＬＣＤ表示画面２００をほぼ９０度傾倒させた状態をそれぞれ示している。
【００３９】
すなわち、図６−１の位置からオペレータがＬＣＤ表示画面２００を、図６−２および図６−３に示すように手前側（オペレータ側）に傾倒させた場合には、ＬＣＤ表示画面２００の傾倒にともない、このＬＣＤ表示画面２００に取り付けられた回動ブラケット７００の回動もおこなわる。この場合、回動ブラケット７００の回動にともない、回動ブラケット７００に連結された回動軸部６３３の回動による駆動が回動側抑制板７５０に伝達され、この回動抑制板７５０の回動により、この回動側抑制板７５０に形成された凸部７９０と固定側回動抑制板７１０の凸部７２０とが、互いに当接するため互いの干渉により摩擦トルクが発生する。
【００４０】
ここで、図７−１および図７−２は、固定側抑制板７１０と回動側抑制板７５０との当接状態を示す拡大断面図であり、図７−１は、それぞれの凸部７２０、７９０同士が当接した状態を示しており、この凸部７２０、７９０同士の干渉により、ＬＣＤ表示画面２００の急な回動を防止することができる。一方、図７−２は、オペレータによる回動ブラケット７００の回動により凸部７２０、７９０同士の当接が解除され、固定側抑制板７１０の凹部７３０と回動側抑制板７５０の凸部７９０とが係合した状態を示している。この場合、固定側抑制板７１０と回動側抑制板７５０との干渉が解除されるため、オペレータは手動による回動を容易におこなうことができる。
【００４１】
以上のように、本実施例１に係る角度調整装置６００によれば、角度調整装置６００は、第一の回動方向への回動を許容するラチェット機構６１０と、当該ラチェット機構６１０による第一の回動方向とは反対方向（逆方向）である第二の回動方向への回動を抑制する回動抑制機構６２０とを備えているので、第一の回動方向（プリンタ側）に対するＬＣＤ表示画面の回動（角度調整）は、ラチェット機構により比較的軽易な操作によりおこなうことができるうえ、このラチェット機構６１０により角度位置が調整（設定）されたＬＣＤ表示画面２００の傾倒位置は、ラチェットギヤ６３０とロック爪６３１との噛合（ロック）によりオペレータによるＬＣＤ表示画面２００に対するキータッチ（押圧）で、ぐらつかない程度の保持強度で固定することができる。
【００４２】
一方、オペレータ側にＬＣＤ表示画面２００を傾倒させる際の回動操作は、回動抑制機構６２０によって、急な回動動作が抑制されるため、この回動抑制機構６２０により、ＬＣＤ表示画面２００がオペレータ側に不用意に傾倒することを防止することができる。
【実施例２】
【００４３】
ここで、前述した実施例１では、表示画面角度調整機構６００を固定側抑制板７１０と回動側抑制板７５０とにより構成しているが、固定ブラケット８００の側面部（基端部）に直接、凸部７２０を形成することにより、固定側抑制板７１０を省略する構成とすることもできる。この場合、固定ブラケット８００の表面部に形成した凸部７２０と回動側抑制板７５０の表面部に形成した凸部７９０とが互いに当接することにより、実施例１と同様の回動抑制作用による作用効果を実現することができる。
【００４４】
以上説明したように、本実施例２では、実施例１の作用効果とともに、固定ブラケット８００の側面部に直接、凸部７２０を形成するので、固定側抑制板７１０を省略する構成とすることもでき、これにより、部品点数の削減によるコスト削減を実現することができる。
【００４５】
ここで、本実施例１、２では、ＰＯＳ端末装置に備えたＬＣＤ表示画面に適用した角度調整装置であるが、例えば、自動定期券発行装置や、銀行のＡＴＭに備えている接客用パネルの配置角度調整にも、本発明を適用することができる。
【産業上の利用可能性】
【００４６】
以上のように、本発明に係る角度調整装置は、ＬＣＤ表示画面に対する角度調整装置として有用であり、特に、ＰＯＳ端末装置などの情報表示機器に備えたＬＣＤ表示画面の角度調整に適している。
【００４７】
（付記１）第一の回動方向への回動を制御するラチェット機構と、前記第一の回動方向と反対方向である第二の回動方向への回動を抑制する回動抑制機構と、
回動ブラケットと、
前記回動ブラケットの回動軸と連結される固定ブラケットとを備え、
前記回動抑制機構は、
前記回動ブラケットの回動を抑制する第一の回動抑制部材と、
前記固定ブラケットに取り付けられる第二の回動抑制部材と
を備え、
前記第一の回動抑制部材と第二の回動抑制部材とは、互いに当接するように組み付けられることを特徴とする角度調整装置。
【００４８】
（付記２）前記第一の回動抑制部材と前記第二の回動抑制部材との当接による摩擦トルクに基づいて、前記固定ブラケットに対する前記回動ブラケットの回動が抑制されることを特徴とする付記１に記載の角度調整装置。
【００４９】
（付記３）前記第一の回動抑制部材と第二の回動抑制部材との互いの当接面には、複数の凸状部が形成されていることを特徴とする付記１または２に記載の情報機器における角度調整装置。
【００５０】
（付記４）第一の回動方向への回動を制御するラチェット機構と、前記第一の回動方向と反対方向である第二の回動方向への回動を抑制する回動抑制機構と、
回動ブラケットと、
前記回動ブラケットの回動軸と連結される固定ブラケットとを備え、
前記回動抑制機構は、
前記回動ブラケットの回動を抑制する回動抑制部材を備え、
前記回動抑制部材の表面部には、凸状部が形成され、
前記固定ブラケットの表面部には、凸状部が形成され、
前記回動抑制部材の表面部と、前記固定ブラケットの表面部とが当接するように組み付けられることを特徴とする角度調整装置。
【００５１】
（付記５）前記第一の回動方向への回動を許容するラチェット機構と、前記第二の回動方向への回動を抑制する回動抑制機構とは、前記固定ブラケットを介して、互いに隔離された位置に配設されていること特徴とする付記１から４のいずれか一つに記載の角度調整装置。
【００５２】
（付記６）前記ラチェット機構は、前記回動ブラケットの回動を伝達する回動軸部と、ラチェットギヤと、当該ラチェットギヤと噛合するロック爪とから構成され、前記ラチェットギヤと回動軸部とは、一体に構成されていること特徴とする付記１から５のいずれか一つに記載の角度調整装置。
【００５３】
（付記７）前記回動軸部の一部には段部が形成され、当該段部に対して前記第二の抑制部材が嵌合されていること特徴とする付記６に記載の角度調整装置。
【図面の簡単な説明】
【００５４】
【図１】本実施例１に係る角度調整装置の概略を示す側面図である。
【図２】角度調整装置の構成を示す分解斜視図である。
【図３】角度調整装置の要部を示す全体断面図である。
【図４−１】固定側抑制板を示す平面図である。
【図４−２】回動側抑制板を示す平面図である。
【図５−１】ラチェット機構によるＬＣＤ表示画面の角度調整位置を示す側面図である。
【図５−２】同回動時のＬＣＤ表示画面の角度調整位置を示す側面図である。
【図６−１】回動抑制機構による回動状態を示す側面図である（倒立時）。
【図６−２】回動抑制機構による回動状態を示す側面図である（４５度）。
【図６−３】回動抑制機構による回動状態を示す側面図である（９０度）。
【図７−１】固定側抑制板と回動側抑制板との当接時の拡大断面図である。
【図７−２】同凸部同士の干渉解除時の拡大断面図である。
【図８−１】従来のＰＯＳ端末装置を示す斜視図である。
【図８−２】図８−１に示したＰＯＳ端末装置の側面図である。
【符号の説明】
【００５５】
１００、１１０  ＰＯＳ端末装置
１００ａ、１１０ａ  装置本体
２００  ＬＣＤ表示画面
３００  プリンタ
４００  制御部
４１０  側面部
５５０  ヒンジ部
６００  角度調整装置
６１０  ラチェット機構
６２０  回動抑制機構
６３０  ラチェットギヤ
６３１  ラチェット歯
６３２  貫通孔
６３３  回動軸部
６３８  ロック爪作動カム
６４０  ロック爪
６５０  コイルバネ
７００  回動ブラケット
７１０  固定側抑制板
７５０  回動側抑制板
７２０、７９０  凸部
７２１、７８０  通孔
７２２  小通孔
７３０  凹部
８００  固定ブラケット
８１０  リベット
８１５  円通孔
８１６  係止ピン
９００  スプリングワッシャ
９１０  座金
【図１】
2005226773.tif 000003
【図２】
2005226773.tif 000004
【図３】
2005226773.tif 000005
【図４−１】
2005226773.tif 000006
【図４−２】
2005226773.tif 000007
【図５−１】
2005226773.tif 000008
【図５−２】
2005226773.tif 000009
【図６−１】
2005226773.tif 000010
【図６−２】
2005226773.tif 000011
【図６−３】
2005226773.tif 000012
【図７−１】
2005226773.tif 000013
【図７−２】
2005226773.tif 000014
【図８−１】
2005226773.tif 000015
【図８−２】
2005226773.tif 000016